(57)【要約】【課題】電話端末に対するナンバーディスプレイサービスを、中央処理装置の負荷を低減しつつ実現する。【解決手段】呼処理装置（交換機）50は、発呼元の電話番号情報を送出する信号処理部（DSP）53と、内線電話端末30を収容する加入者線回路ユニット51を備えている。加入者線回路ユニット51は、信号処理部53から送出された電話番号情報を一時蓄積するバッファ65と、内線電話端末30にバッファ65を選択的に接続するスイッチ64と、加入者線回路処理部63とを有し、加入者線回路処理部63は、内線電話端末30へ着信の際、スイッチ64を制御して少なくとも内線電話端末30から信号処理部53を切り離し、内線電話端末30から一次応答を受信すると、スイッチ64を介してバッファ65と内線電話端末30を接続し、バッファ65に蓄積されている電話番号情報を内線電話端末30に送出する。【選択図】図３
2018139362.tif 000002
【特許請求の範囲】
【請求項１】
通話路スイッチによって交換接続される電話端末を収容する加入者線回路ユニットと、
前記通話路スイッチに接続され、発呼元の識別情報を得て該識別情報を送出する信号処理部とを備え、
前記加入者線回路ユニットは、
前記信号処理部から送出された発呼元識別情報を一時蓄積するバッファと、
前記電話端末と前記通話路スイッチまたは前記バッファとの間で選択的に通話路を設定する切替えスイッチと、
該切替えスイッチを制御する加入者線回路処理部とを有し、
該加入者線回路処理部は、前記電話端末へ着信の際、前記切換えスイッチを制御して少なくとも前記電話端末から前記信号処理部を切り離し、前記電話端末から着信についての一次応答を受信すると、前記切替えスイッチを介して前記バッファを前記電話端末に接続し、該バッファに蓄積されている発呼元識別情報を該バッファから前記電話端末に送出することを特徴とする呼処理装置。
【請求項２】
請求項１に記載の装置において、前記バッファは前記通話路スイッチに接続され、
前記バッファは、前記信号処理部が少なくとも前記電話端末から切り離された状態で該信号処理部から前記通話路スイッチに送出される発呼元識別情報を一時蓄積することを特徴とする呼処理装置。
【請求項３】
請求項１または２に記載の装置において、該装置はさらに、
前記通話路スイッチを制御して前記電話端末への着信を制御する中央処理部を備え、
該中央処理部は、前記電話端末へ着信させる際、該電話端末からの応答を待たずに、前記信号処理部と前記加入者線回路処理部の間に前記通話路スイッチを介した通話路を設定し、前記発呼者識別情報を前記信号処理部から前記加入者線回路ユニットへ送出させることを特徴とする呼処理装置。
【請求項４】
請求項１ないし３のいずれかに記載の装置において、該装置は、前記加入者線回路ユニットを複数含み、該複数の加入者回路ユニットは互いに遅延特性が異なり、
前記電話端末との信号の送受信に対するタイミング制御を前記複数の加入者線回路ユニットのそれぞれの前記加入者線回路処理部が行うことを特徴とする呼処理装置。
【請求項５】
請求項４に記載の装置において、前記信号処理部は前記複数の加入者線回路ユニットに対して共通であり、前記電話端末へ着信の際、前記複数の加入者線回路ユニットうちの該電話端末に対応するユニットに前記信号処理部から前記発呼元識別情報が送出されることを特徴とする呼処理装置。
【請求項６】
通話路スイッチと、
該通話路スイッチによって交換接続される電話端末を収容する加入者線回路ユニットと、
前記通話路スイッチに接続され、発呼元の識別情報を得て該識別情報を送出する信号処理部と、
前記通話路スイッチ、加入者線回路ユニットおよび信号処理部を制御する制御部とを備え、
該制御部によって前記電話端末への着信呼を該電話端末に接続する電話交換機において、前記加入者線回路ユニットは、
前記信号処理部から送出された発呼元識別情報を一時蓄積するバッファと、
前記電話端末と前記通話路スイッチまたは前記バッファとの間で選択的に通話路を設定する切替えスイッチと、
該切替えスイッチを制御する加入者線回路処理部とを有し、
前記制御部が前記電話端末へ着信させる際、前記加入者線回路処理部は、前記切換えスイッチを制御して少なくとも前記電話端末から前記信号処理部を切り離し、前記電話端末から着信についての一次応答を受信すると、前記切替えスイッチを介して前記バッファを前記電話端末に接続し、該バッファに蓄積されている発呼元識別情報を該バッファから前記電話端末に送出することを特徴とする電話交換機。
【請求項７】
通話路スイッチによって交換接続される電話端末へ着信の際、発呼元の識別情報を送出する信号処理部を少なくとも前記電話端末から切り離し、
前記信号処理部から送出された識別情報を加入者線回路内のバッファに一時蓄積し、
前記電話端末から着信についての一次応答を受信すると、前記バッファと前記電話端末を接続して該バッファに蓄積されている発呼元識別情報を該バッファから前記電話端末に送出することを特徴とする呼処理方法。
【請求項８】
発呼元の識別情報を送出する信号処理部と、電話端末を収容する加入者線回路ユニットとを備える呼処理装置において、前記発呼元識別情報を前記電話端末に送出するための呼処理プログラムであって、該プログラムは、前記呼処理装置のプロセッサシステムに、
前記電話端末へ着信の際、少なくとも前記電話端末から前記信号処理部を切り離すことと、
該信号処理部から送出された発呼元識別情報を前記加入者線回路内のバッファに一時蓄積することと、
前記電話端末から着信についての一次応答を受信すると、前記バッファと前記電話端末を接続して該バッファに蓄積されている識別情報を前記電話端末に送出することを実行させる呼処理プログラム。
【発明の詳細な説明】
【技術分野】
【０００１】
本発明は、呼処理装置および方法、とりわけ電話交換機における発呼者番号表示を制御する呼処理装置および方法に関するものである。
【背景技術】
【０００２】
従来から、発呼電話機の電話番号等の発呼者情報を例えばMODEM（変復調器）信号により被呼側の電話機や情報受信端末に送出するサービスが知られている。このようなサービスは一般に、ナンバーディスプレイサービスと呼ばれる。構内電話交換機（PBX）においてもナンバーディスプレイサービスが提供され、発呼側の内線電話端末や外線発呼者の電話番号が被呼側の内線電話端末に送られて被呼側内線電話端末に表示される。
【先行技術文献】
【特許文献】
【０００３】
【特許文献１】特開平6-38251号公報
【発明の概要】
【発明が解決しようとする課題】
【０００４】
従来の電話交換機においてアナログ内線に対してナンバーディスプレイサービスを提供する場合、交換機全体を制御する中央処理装置（CPU）の負荷が大きくなる場合がある。特に、発呼元の電話端末の番号情報を保持する信号処理部（例えばデジタル信号処理装置、DSP）と加入者線回路との間の動作タイミングを中央処理装置が制御する構成では、中央処理装置の負荷が大きくなる。このような課題は、電話端末の増設に伴い交換機の加入者線回路の数が増えると、さらに顕著になる。
【０００５】
また、加入者線回路には、電話端末へのリンギングおよび試験を行うRT（Ringing and Test）回路と、給電、ループ電流監視および２線４線変換を行うBSH回路（合わせてRT/BSH（Battery feed、Supervision、Hybrid）回路と称する）が電話端末毎に備えられている。RT/BSH回路は、製品の種類により動作タイミングの遅延特性に差がある。例えば、特許文献１（特開平6-38251号公報）には、CODEC（CODER-DECODER)回路、BSH回路および制御回路から構成される加入者回路モジュールが高機能・多機能化、低価格化、小型化に応じて様々な種類を用意されることが開示されている。
【０００６】
そこで、交換機に複数種類の加入者線回路を混在させる場合、このようなRT/BSH回路の種別に応じたタイミング特性の管理が必要であり、中央処理装置でこのタイミング特性の差を調整する構成では、中央処理装置において種別設定に手間がかかり、運用データが増大する。
【０００７】
本発明はこのような課題に鑑み、構内電話交換機における発呼者情報表示を、中央処理装置における負荷を発呼者情報表示のために増すことなく実現する呼処理装置および方法を提供することを目的とする。
【課題を解決するための手段】
【０００８】
本発明の一態様によると、通話路スイッチによって交換接続される電話端末を収容する加入者線回路ユニットと、通話路スイッチに接続され、発呼元の識別情報を送出する信号処理部とを備え、加入者線回路ユニットは、信号処理部から送出された発行元識別情報を一時蓄積するバッファと、電話端末との通話路を切り替えるスイッチと、電話端末と通話路スイッチまたはバッファとの間で選択的に通話路を設定する切替えスイッチと、切替えスイッチを制御する加入者線回路処理部とを有し、加入者線回路処理部は、電話端末へ着信の際、切替えスイッチを制御して少なくとも電話端末から信号処理部を切り離し、電話端末から着信についての一次応答を受信すると、切替えスイッチを介してバッファを電話端末に接続し、バッファに蓄積されている発呼元識別情報をバッファから電話端末に送出する呼処理装置が提供される。
【０００９】
本発明の他の一態様によると、通話路スイッチによって交換接続される電話端末へ着信の際、発呼元の識別情報を送出する信号処理部を少なくとも電話端末から切り離し、信号処理部から送出された識別情報を加入者線回路内のバッファに一時蓄積し、電話端末から着信についての一次応答を受信すると、バッファと電話端末を接続してバッファに蓄積されている発呼元識別情報をバッファから電話端末に送出する呼処理方法が提供される。
【００１０】
本発明の他の一態様によると、発呼元の識別情報を送出する信号処理部と、電話端末を収容する加入者線回路ユニットとを備える呼処理装置において、発呼元識別情報を電話端末に送出するための通信制御プログラムは、呼処理装置のプロセッサシステムに、電話端末へ着信の際、少なくとも電話端末から発呼元信号処理部とを切り離すことと、信号処理部から送出された発呼元識別情報を加入者線回路内のバッファに一時蓄積することと、電話端末から着信についての一次応答を受信すると、バッファと電話端末を接続してバッファに蓄積されている識別情報を電話端末に送出することを実行させる。
【発明の効果】
【００１１】
このような本発明によれば、構内電話交換機において従来より中央処理装置の負荷を低減しつつ発呼者情報表示を行う呼処理装置および方法が提供される。
【図面の簡単な説明】
【００１２】
【図１】課題を説明するための電話交換機の例を示す構成図である。
【図２】図１に示す電話交換機の動作シーケンス図である。
【図３】本発明の実施の形態における電話交換機の構成図である。
【図４】図３に示す実施の形態における動作シーケンス図である。
【発明を実施するための形態】
【００１３】
次に添付図面を参照して本発明による呼処理装置の実施の形態を詳細に説明する。
【００１４】
まず、本発明が解決しようとする課題をより詳細に説明する。図１は、課題を説明するための電話交換機の例を示す構成図である。なお、以下の課題の説明における交換機の構成および処理は、本発明の実施の形態の理解を容易にするため後述の実施の形態での構成および処理に沿って記載しており、必ずしも従来技術を構成するものではない。
【００１５】
図１に示す電話交換機10は、アナログ内線において発呼元の電話番号を被呼側へ通知するように構成された構内電話交換機である。すなわち、交換機10は、アナログ内線においてナンバーディスプレイサービスを提供する。
【００１６】
加入者線回路ユニット11は、複数の内線電話端末（以下、単に電話端末と称することがある）30を収容している。加入者線回路ユニット11には複数の加入者線回路が含まれている。加入者線回路は一般に、加入者回路と称することもあるが、局内において加入者線対応に、したがって電話端末対応に設けられる回路である。通話路スイッチ（TSW）12は、時分割通話路スイッチである。通話路スイッチ12は、時分割多重の入り線（TDM-FHW）と、時分割多重の出線（TDM-BHW）が収容され、それらの相互間でPCM符号化信号の通話路接続を行う。信号処理部13は、MODEM（変復調器）信号を送出するデジタル信号処理プロセッサ（DSP）である。信号処理部13は、発呼元の電話番号を保持する蓄積部（図示せず）を有している。中央処理装置（CPU）14は、例えばバス（CPU-BUS）を通して交換機全体を制御する。例えば、中央処理装置14は、内線交換制御の他、外線を収容するトランクの制御、外線の着信制御等を行う。
【００１７】
加入者線回路ユニット11は、電話端末毎のRT/BSH（Ringing and Test/Battery feed、Supervision、Hybrid）回路21と、電話端末毎のCODEC回路（符号化復号回路）22と、加入者線回路処理部（Subscriber Line Interface Circuit-Processors: SLIC-PP）23を有する。RT/BSH回路21は、電話端末30へのリンギング、試験、給電、ループ電流監視および２線４線変換を行う。CODEC回路22は、PCM符号化信号とアナログ音声信号を相互に変換する。加入者線回路処理部23は、例えばバス（SLIC-PP BUS）を通して加入者線回路ユニット11の各部を制御する。
【００１８】
なお、図１においては１回路分の加入者線回路ユニット11を図示しているが、交換機10は通常、複数の加入者線回路ユニット11を有する。その場合、各加入者線回路ユニット11は通話路スイッチ12に接続され、通話路スイッチ12を介して通話路が設定される。
【００１９】
図２は、課題を説明するために、図１に示す構成の交換機10におけるナンバーディスプレイサービスの着信制御シーケンスの例を示すシーケンス図である。同図を参照して以下にナンバーディスプレイサービスの着信制御を説明する。
【００２０】
まず、中央処理装置14は、発呼側からの着信に応動して加入者線回路処理部23へ着信オーダを出力し（S11）、一次応答待ちタイミングの計時を始める（T2）。加入者線回路処理部23は、着信オーダを受けると、着信先の電話端末30に対応するRT/BSH回路21を介して電話端末30への直流給電の極性反転を行う（S12）。その後、加入者線回路処理部23は、起動信号送出タイミングの時間を空けて（T1）、呼出信号CARを電話端末30へ送出し（S13）、応答の監視を始める。なお、図２においては、RT/BSH回路21の記載を省略しているが、図１に示すように電話端末30と加入者線回路処理部23の間にRT/BSH回路21が介在している。加入者線回路処理部23が電話端末30の直流ループ電流により一次応答を検出すると（S14）、中央処理装置14へ一次応答通知を行い（S15）、呼出信号CARの送出を止める（S16）。
【００２１】
中央処理装置14は、一次応答通知を受けると、一次応答待ちタイミングの計時を止める。また、中央処理装置14は、通話路スイッチ12を制御して信号処理部13から加入者線回路ユニット11への通話路を設定し（S17）、情報等送出タイミングの間に（T3）、信号処理部13にMODEM信号送出オーダを出力する（S18）。
【００２２】
信号処理部13は、MODEM信号送出オーダに従い、発呼者電話番号の情報等を、通話路スイッチ12および加入者線回路ユニット11を介して電話端末30へMODEM信号により送出する（S19）。また、加入者線回路処理部23は、このMODEM信号の送出を完了すると、信号送出完了通知を中央処理装置14へ出力する（S20）。中央処理装置14は、信号送出完了通知を受けると、一次開放待ちタイミングと二次応答受付タイミングの計時を開始する（T4、T5）。また、中央処理装置14は、信号処理部13から加入者線回路ユニット11へ設定した通話路を開放する（S21）。
【００２３】
電話端末30は、発呼者電話番号の情報等（MODEM信号）を受信すると、その受信を一次開放（ループ断）により交換機に通知する（S22）。加入者線回路処理部23は、RT/BSH回路21を通して一次開放（ループ断）を検出し（S22）、電話端末30へ呼出信号（IR等）を送出する（S24）とともに、中央処理装置14へ一次開放通知を送出する（S23）。中央処理装置14は、電話端末30の呼出しまで処理が進んだことを一次開放通知の受信により識別し、発呼側へ呼出音（RBT）を送出する（S25）。以降の電話端末30の二次応答（直流ループ）から通話までの処理（S26〜S31）は、通常の着信応答と同様のシーケンスである。
【００２４】
上述のような構成および処理においては、加入者線回路処理部23と信号処理部13との動作タイミングを合わせるために中央処理装置14が介在し、したがって中央処理装置の負荷が増大する。例えば、信号の処理以外にも、一次応答待ちタイミングや情報送出等タイミングなどのタイミング（T1〜T5）の管理が必要になる。このようなタイミングの管理は呼の発生毎に必要となるため、呼数が多くなると特に中央処理装置の負荷がさらに増大する。
【００２５】
このようなタイミング特性としては、例えば、リンギング中に電話端末が応答してからリングトリップの検出までの遅延、呼出信号停止の遅延、給電状態変化の過渡現象がMODEM信号に対して十分安定するまでの時間の総和などがある。
【００２６】
また、加入者線回路ユニット11のRT/BSH回路21の制御監視タイミング（遅延特性）が上述のタイミングの管理に影響するため、例えば、制御監視タイミング（遅延特性）が異なる複数種類の加入者線回路ユニット11をひとつの交換機に混在させる場合は、加入者線回路ユニット11の種別管理が必要となり、上述したような中央処理装置14がこれを処理するような構成では、交換機10の運用データが増大するという課題があった。
【００２７】
次に、本発明による電話交換機の特定の実施の形態を説明する。なお、本実施の形態では構内電話交換機を例に説明するが、本発明は、このような交換機以外にも、発信側の識別情報を着信側の情報端末などに提供する通信を制御する装置にも適用可能である。
【００２８】
図３は、本実施の形態における構内電話交換機50の構成図である。構内電話交換機50は、加入者線回路ユニット51、通話路スイッチ（TSW）52、信号処理部（DSP）53および中央処理装置（CPU）54を備え、これらが図示のように接続されている。通話路スイッチ52、信号処理部53、および中央処理装置54の構成はそれぞれ、図１を参照して上述した通話路スイッチ12、信号処理部13、および中央処理装置14と同様でよい。以下、同様の構成要素は同じ参照符号で示す。
【００２９】
勿論、交換機50は、複数の加入者線回路ユニット51を有することができる。その場合、各加入者線回路ユニット51は通話路スイッチ52に接続され、通話路スイッチ52を介してそれらの間に通話路が設定される。また加入者線回路ユニット51は、バス（CPU-BUS）を介して信号処理部53および中央処理装置54に接続されている。なお、本実施の形態は構内電話交換機であるが、本発明は、これに限らず局用交換機にも適用される。
【００３０】
加入者線回路ユニット51は、電話端末毎のRT/BSH回路61、電話端末毎のCODEC回路（符号化復号回路）62、加入者線回路処理部（SLIC-PP）63、スイッチ（HSW）64およびバッファ（HW-BUF）65を有し、これらが図示のように接続されている。RT/BSH回路61およびCODEC回路62は、上述のRT/BSH回路21およびCODEC回路22と同様でよい。加入者線回路処理部63は、後述するシーケンスにより、例えばバス（SLIC-PP BUS）66を通して加入者線回路ユニット51内の各部を制御する。
【００３１】
スイッチ64は、加入者線回路処理部63の制御により、通話路スイッチ52からCODEC回路62へ向かう通話路と、バッファ65からCODEC回路62へ向かう通話路との２系統の通話路を切り替える通話路スイッチである。
【００３２】
バッファ65は、通話路スイッチ52から電話端末30へ向かう通話路（TDM-BHW）からのPCM符号化信号を例えば一時的に録音または蓄積する。また、バッファ65に蓄積されたPCM符号化信号はスイッチ64側に再生出力される。例えば、加入者線回路処理部63の制御により、バッファ65には、信号処理部53から送出された発呼元識別情報、例えば電話番号情報が一時蓄積され、蓄積された電話番号情報が電話端末30へ送られる。バッファ65は、例えば、DRAM（Dynamic Random Access Memory）やSRAM（Static Random Access Memory）を用いることができる。バッファ65に蓄積された情報は、例えば、バッファ65と電話端末30との通話路がスイッチにより切り離されたときなどの適宜のタイミングで削除されてもよい。また、着信シーケンス毎に電話番号情報が上書きされてもよい。
【００３３】
図４を参照して、図３に示す構成の交換機50の実施の形態における発呼者識別情報表示機能、すなわちナンバーディスプレイサービスの着信制御シーケンスを以下に説明する。
【００３４】
まず、中央処理装置54は、発呼側からの着信に応動して加入者線回路処理部63へ着信オーダを出力する（S51）。また、中央処理装置54は、通話路スイッチ52を制御して信号処理部53から加入者線回路ユニット51への通話路を設定し（S52）、信号処理部53にMODEM信号送出オーダを出力する（S53）。ここで、中央処理装置54は、被呼電話端末30からの応答を待たずに中央処理装置54本来の処理を進めることができる。より具体的には、中央処理装置54は、一次応答通知を待つ必要はなく、一次応答待ちタイミングの計時（T2）も必要ない。
【００３５】
加入者線回路処理部63は、着信オーダを受けると、着信先の電話端末30に対応するRT/BSH回路61を介して電話端末30への直流給電の極性反転を行う（S54）。その後、加入者線回路処理部63は、起動信号送出タイミングの時間を空けて（T1）、呼出信号CARを電話端末30へ送出し（S55）、応答の監視を始める。これとともに加入者線回路処理部63は、一次応答待ちタイミングの計時を始める（T2）。また、加入者線回路処理部63は、例えば上述の処理と並行して、スイッチ64を切り替えて、通話路スイッチ52から電話端末30への通話路を切り離す。ここでバッファ65は、信号処理部53からの信号の録音または蓄積を開始する。なお、図４においては、RT/BSH回路61の記載を省略している。
【００３６】
信号処理部53は、MODEM信号送出オーダを受けると、発呼側電話端末、または公衆電話回線網（図示せず）より着信した外線呼から取得した発呼者電話番号または発呼電話機識別符号などの発呼者識別情報を含む情報等を、被呼側電話端末30へ直接は送出しないで、通話路スイッチ52を介して加入者線回路ユニット51へMODEM信号により送出する（S56）。また、信号処理部53は、このMODEM信号の送出を完了すると、信号送出完了通知を中央処理装置54へ出力する（S57）。中央処理装置54は、信号送出完了通知を受けると、通話路スイッチ52に設定されていた通話路を開放する（S58）。
【００３７】
信号処理部53からの発呼者電話番号の情報等は、バッファ65に蓄積される。なお、スイッチ64の切り替えならびにバッファ65での蓄積開始および終了などの処理は、加入者線回路処理部63からスイッチ64およびバッファ65へそれぞれ送られる制御信号に応動して行われる。
【００３８】
一方、加入者線回路処理部63が電話端末30の直流ループ電流により一次応答を検出すると（S59）、呼出信号CARの送出を止める（S60）。また、加入者線回路処理部23は、情報等送出タイミングの間に（T3）、バッファ65に蓄積された発呼者電話番号の情報等を電話端末30に送出する（S61）。例えば、加入者線回路処理部63は、スイッチ64を切り替えてバッファ65から被呼電話端末30への通話路を設定し、バッファ65に蓄積されていた発呼者電話番号の情報等をバッファ65から電話端末30に送出する。なお、加入者線回路処理部23から中央処理装置14への一次応答通知を省略できる。
【００３９】
加入者線回路処理部63は、バッファ65からの発呼者電話番号の情報等の送出すなわち再生の終了を検知すると、一次開放待ちタイミングと二次応答受付タイミングの計時を始める（T4、T5）。また、加入者線回路処理部63は、スイッチ64を切り替えて、バッファ65から電話端末30への通話路を解放するとともに、通話路スイッチ52から電話端末30への通話路を設定する。
【００４０】
電話端末30は、発呼者電話番号の情報等（MODEM信号）を受信すると、その受信を一次開放（ループ断）により交換機50に通知する（S62）。以降の処理は、図２を参照して説明した処理と同様でよいので、その説明を省略する。
【００４１】
本実施の形態におけるこのような発呼者識別情報の送出、表示の制御は、例えば加入者線回路処理部63を構成するコンピュータなどのプロセッサシステムで実行される呼処理プログラムとしても実現できる。そのような呼処理プログラムは、メモリデバイス、コンピュータ読取り可能な記録媒体、または非一時的な記憶媒体などに予め記憶され、プロセッサシステムに読み出して実行することができる。
【００４２】
本実施の形態によると、着信シーケンスの各制御タイミングは、このように加入者線回路処理部63で管理することができる（T1〜T5）。そのため、図１および図２で示す構成および処理に比べて、中央処理装置54は、前述した着信シーケンスの様々な制御タイミングの管理から解放される。換言すると、中央処理装置54は、実時間性の厳しいライン制御から解放される。そこで中央処理装置54の負荷が低減し、このような負荷の軽減は交換機全体としての処理能力の向上に寄与する。例えば、中央処理装置54は、着信シーケンスの各制御タイミングにおいて低減された負荷に相当するリソースを、外線に対する処理、多機能電話に関する処理、その他の処理・サービスのために割り当てることができる。
【００４３】
また、着信シーケンスの各制御タイミングは、加入者線回路処理部63で管理することができるため、前述したような各RT/BSH回路61のタイミング特性の差を加入者線回路処理部63で吸収できる。RT/BSH回路61と加入者線回路処理部63は、例えば同じ回路基板に搭載され、両者間の対応関係は固定されている。そのため、RT/BSH回路61の特性の差を予め加入者線回路処理部63に設定できる。また、例えば、交換機50が、RT/BSH回路61のタイミング特性の異なる複数種類の加入者線回路ユニット51を収容する場合、特性の差による影響を各ユニット内の加入者線回路処理部63で吸収することができ、したがって中央処理装置54は、各ユニット51に対して同様の条件で処理を行うことができる。例えば、既存の複数の加入者線回路ユニット51のうちの一部を基板ごと取り替える場合、新たな加入者線回路ユニット51が既存の加入者線回路ユニット51とは別種類のRT/BSH回路61（例えば、改良された回路や、チップ性能が向上したもの）を有する場合でも、条件の設定が容易である。
【００４４】
加入者線回路ユニット51が複数ユニット配設されている場合でも、信号処理部53はシステム30に共通で１ユニット配設されていればよい。その場合、電話端末30へ着信の際、複数の加入者線回路ユニット51うちその着信電話端末30に対応するユニットに信号処理部53から発呼元識別情報が送出される。
【００４５】
信号処理部53から加入者線回路ユニット51への信号経路には、例えば、電話端末あたり64kbpsの通信速度の音声通話路（TDM-FHW、TSW、TDM-BHW）を使用することができる。一方、同じ符号化信号を時間軸で圧縮した、より高速の伝送経路を適用することもできる。その場合、１つの呼について発呼者電話番号の情報等を送出する処理が信号処理部53を占有する時間が低減され、交換機内において信号処理部63をより高い効率で使用することも可能になる。
【００４６】
上述の実施の形態では構内電話交換機を例に呼処理装置について説明したが、本発明は、上述の処理を含む呼処理方法、および上述の処理を交換機の処理部またはコンピュータに実行する呼処理プログラムとしても実現できる。
【産業上の利用可能性】
【００４７】
本発明は、発呼電話番号などの発呼者識別情報を被呼者に通知する電話交換機などの電話システムに限らず、例えば発信者側の情報を着信側の情報端末に転送し可視または可聴表示する通信を制御する装置に利用可能である。
【符号の説明】
【００４８】
50  電話交換機
51  加入者線回路ユニット
52  通話路スイッチ（TSW）
53  信号処理部（DSP）
54  中央処理装置（CPU）
61  RT/BSH回路
62  CODEC回路
63  加入者線回路処理部（SLIC-PP）
64  スイッチ（HSW）
65  バッファ（HW-BUF）
【図１】
2018139362.tif 000003
【図２】
2018139362.tif 000004
【図３】
2018139362.tif 000005
【図４】
2018139362.tif 000006